(57)【要約】【課題】換気ファンが利用できない状況での種々の不都合を解消することができる信頼性にすぐれた空気調和機を提供する。【解決手段】操作表示パネル１４の換気オフ釦１６が押圧操作されると、換気ファンユニット１０の運転を行なわせない換気オフモードが設定される。この設定時、換気ファンユニット１０の運転を行なわずに、所定の代替運転が実行される。【選択図】　　図１
2004053172.tif 000002
【特許請求の範囲】
【請求項１】
圧縮機および室外熱交換器を有する室外ユニットと、
室内熱交換器を有する室内ユニットと、
室内空気を前記室内熱交換器に通して循環させる室内ファンと、
前記室内ユニット内の空気を室外に排出させる換気ファンユニットと、
前記換気ファンユニットの運転を行なわない換気オフモードを設定する設定手段と、
前記換気オフモードの設定時、前記換気ファンユニットの運転を行なわずに所定の代替運転を実行する制御手段と、
を備えたことを特徴とする空気調和機。
【請求項２】
圧縮機および室外熱交換器を有する室外ユニットと、
室内熱交換器を有するとともに空気清浄ユニットを有する室内ユニットと、
室内空気を前記空気清浄ユニットおよび前記室内熱交換器に通して循環させる室内ファンと、
前記室内ユニット内の空気を室外に排出させる換気ファンユニットと、
前記空気清浄ユニットおよび前記室内ファンの運転による空気清浄運転を実行する制御手段と、
前記空気清浄ユニットおよび前記室内ファンを運転させながら、前記空気清浄ユニットおよび前記室内熱交換器に流入する前の室内空気の一部を前記換気ファンの運転により室外に排出する空気清浄・換気運転を実行する制御手段と、
前記換気ファンユニットの運転を行なわない換気オフモードを設定する設定手段と、
前記換気オフモードの設定時、前記空気清浄・換気運転を行なわず、その代替運転として前記空気清浄運転を実行する制御手段と、
を備えたことを特徴とする空気調和機。
【請求項３】
圧縮機および室外熱交換器を有する室外ユニットと、
室内熱交換器を有するとともにオゾン発生器を有する室内ユニットと、
室内空気を前記オゾン発生器および前記室内熱交換器に通して循環させる室内ファンと、
前記室内ユニット内の空気を室外に排出させる換気ファンユニットと、
前記オゾン発生器の運転によりオゾンを発生させながら、前記室内ファンの運転によるショートサーキット流の送風を行なうオゾン発生・充満による室内ユニット清浄運転を実行する制御手段と、
前記オゾン発生器を運転させながら、前記換気ファンを運転させるオゾン発生・換気による室内ユニット清浄運転を実行する制御手段と、
前記換気ファンユニットの運転を行なわない換気オフモードを設定する設定手段と、
前記換気オフモードの設定時、前記オゾン発生・換気による室内ユニット清浄運転を行なわず、その代替運転として前記オゾン発生・充満による室内ユニット清浄運転を実行する制御手段と、
を備えたことを特徴とする空気調和機。
【請求項４】
請求項１、請求項２、請求項３のいずれかに記載の空気調和機において、
前記設定手段は、人為的な操作に応じて、または前記換気ファンの異常時に、換気オフモードを設定することを特徴とする空気調和機。
【請求項５】
請求項１、請求項２、請求項３のいずれかに記載の空気調和機において、
前記禁止の旨を報知する報知手段、をさらに備えたことを特徴とする空気調和機。
【請求項６】
請求項１、請求項２、請求項３のいずれかに記載の空気調和機において、
前記代替運転の実行の旨を報知する報知手段、をさらに備えたことを特徴とする空気調和機。
【請求項７】
請求項１、請求項２、請求項３のいずれかに記載の空気調和機において、
前記換気ファンユニットは、非運転時に排気流路を閉塞するためのダンパを有することを特徴とする空気調和機。
【発明の詳細な説明】
【０００１】
【発明の属する技術分野】
この発明は、室内空気を室外に排出する換気運転機能を備えた空気調和機に関する。
【０００２】
【従来の技術】
室内ユニットに換気ファンを設け、室内空気を室外に排出する換気機能を備えた空気調和機がある。
このような空気調和機では、換気ファンに換気ダクトが接続され、その換気ダクトが住居の壁面を通して室外に導出される。
【０００３】
【発明が解決しようとする課題】
住居の構造上の問題などにより、一部で換気ダクトの敷設が困難な場合がある。この場合においても、換気機能を備えない同仕様の製品を特別に製造することは量産性が伴わないため、換気機能を備えた汎用機種にて対応することになる。
【０００４】
したがって、据え付けられた製品に付属するリモコンについても、換気運転が行なえる構成となっているため、ユーザがリモコンなどで換気運転モードを設定する可能性が生じ、その設定時には排気流路が無いまま換気ファンが運転してしまう。こうなると、換気ファンが過負荷運転となってファンモータが過熱したり、電力が無駄に消費されて余計な電力料金がかかるなどの不都合を生じてしまう。このため、通常は換気機能が運転しないような安全装置が働くようになっている。
【０００５】
ところが、ユーザにとっては、リモコンにあるモードは全て使用可能と判断し、換気ファンの利用が不可能なことを知らずに換気運転モードを設定してしまうことがあり、運転がいつまでも始まらないので、故障と勘違いする可能性がる。
【０００６】
この発明は上記の事情を考慮したもので、その目的は、換気ファンの利用が出来ない据付状況での種々の不都合を解消することができる信頼性にすぐれた空気調和機を提供することにある。
【０００７】
【課題を解決するための手段】
請求項１に係る発明の空気調和機は、換気ファンユニットの運転を行なわない換気オフモードを設定する手段があり、その換気オフモードの設定に際して換気ファンユニットの運転を行なわずに、所定の代替運転を実行する。
【０００８】
請求項２に係る発明の空気調和機は、換気ファンユニットの運転を行なわない換気オフモードを設定する手段があり、その換気オフモードの設定に際して空気清浄・換気運転を行なわず、その代替運転として空気清浄運転を実行する。
【０００９】
請求項３に係る発明の空気調和機は、換気ファンユニットの運転を行なわない換気オフモードを設定する手段があり、その換気オフモードの設定に際してオゾン発生・換気による室内ユニット清浄運転を行なわず、その代替運転としてオゾン発生・充満による室内ユニット清浄運転を実行する。
【００１０】
【発明の実施の形態】
以下、この発明の一実施形態について図面を参照して説明する。室内ユニットの内部構成を図１に示し、冷凍サイクルおよび制御回路の構成を図２に示している。
１は室内ユニットで、前面部に吸込口２、上面部に吸込口３、下面部に吹出口４を有し、吸込口２，３から吹出口４にかけて通風経路を形成している。吹出口４には前後２枚のルーバ５が設けられている。ルーバ５は、吹出口４を開閉する機能のほかに、吹出風の上下方向調節手段として機能する。
【００１１】
なお、前面部の吸込口２は、運転停止時に通風路を閉止する開閉パネルを備えてもよい。
【００１２】
吸込口２，３から吹出口４にかけての通風経路には、室内熱交換器６および室内ファン７が配設され、さらに吸込口２と室内熱交換器６との間に空気清浄ユニット８および室内温度センサ９が設けられている。室内ファン７は、室内空気を吸込口２，３を通して吸込み、その吸込み空気を空気清浄ユニット８および室内熱交換器６に通して吹出口４から室内に吹出す。室内空気は、空気清浄ユニット８および室内熱交換器６に通して循環することになる。
【００１３】
空気清浄ユニット８は、通過する空気に含まれる塵などの粒子に電荷を加える電離部と帯電された粒子を吸着するための電荷を加える集塵部からなる２段式の電極部を有し、吸込み空気から塵や埃を除去する本来の空気清浄ユニットとして機能するほかに、電離部に高電圧を印加した場合に少量のオゾンが発生するためオゾン発生器としても機能する。また室内温度センサ９は、吸込まれる室内空気の温度を検知する。
【００１４】
吸込口２，３から吹出口４にかけての通風経路に臨む位置に換気ファンユニット１０が設けられている。換気ファンユニット１０は、吸込口１１，１２を備え、室内熱交換器６を経た空気を吸込口１１から取込んで換気ファンユニット１０に連結された換気ダクト５０により室外に排出する室内ユニット内空気排出用流路を有するとともに、空気清浄ユニット８よび室内熱交換器６に流入する前の室内空気を吸込口１２から取込んで換気ダクト５０により室外に排出する室内空気排出用流路を有している。また、換気ファンユニット１０は、流路開閉用のダンパ１３を内蔵し、上記２つの流路のいずれか一方のみ開放して他方を閉塞する機能、２つの流路を共に閉塞する機能などを有している。換気ダクト５０は、住居の壁面等を通して室外に導出されている。
【００１５】
室内ユニット１の筐体のたとえば前面に、操作表示パネル１４が設けられている。操作表示パネル１４は、液晶表示部１５および換気オフ釦１６などを有している。
【００１６】
このような構成の室内ユニット１および室外ユニット２０により、スプリット形の空気調和機が構成されている。
室外ユニット２０は、圧縮機２１、四方弁２２、室外熱交換器２３、減圧器たとえば電子膨張弁２４、室外ファン２５などを有している。圧縮機２１は、冷媒を吸込口から吸込み、その吸込んだ冷媒を圧縮して吐出口から吐出する。この圧縮機１の吐出口に四方弁２２を介して室外熱交換器２３が配管接続され、その室外熱交換器２３に電子膨張弁２４を介して上記室内熱交換器６が配管接続されている。そして、室内熱交換器６に四方弁２２を介して圧縮機２１の吸込口が配管接続されている。
【００１７】
制御部３０は、当該空気調和機の全般にわたる制御を行なう。この制御部３０に、四方弁２２、電子膨張弁２４、室外ファン２５、室内ファン７、空気清浄ユニット８、室内温度センサ９、換気ファンユニット１０、操作表示パネル１４、インバータ３１、受光部３２が接続されている。
インバータ３１は、商用交流電源４０の交流電圧を整流し、その整流後の電圧を制御部３０からの指令に応じた周波数の交流電圧に変換し、出力する。この出力が圧縮機１に対する駆動電力となる。受光部３２は、運転条件設定用のリモートコントロール式の操作器（以下、リモコンと略称する）３３から発せられる赤外線光を受光する。リモコン３３は、液晶表示部３４、各種操作キー群３５、および換気オフ釦３６などを有している。
【００１８】
そして、制御部３０は、主要な機能として次の（１）〜（１１）の手段を備えている。
（１）空気清浄ユニット８および室内ファン７を運転させ、室内空気を空気清浄ユニット８に通して循環させる空気清浄運転を実行する制御手段。
【００１９】
（２）換気ファンユニット１０を運転させ、これにより室内空気を室内ユニット１内に取込み、空気清浄ユニット８および室内熱交換器６に流入する前の室内空気を換気ファンユニット１０から室外に排出する換気運転を実行する制御手段。
【００２０】
（３）空気清浄ユニット８および室内ファン７を運転させながら、空気清浄ユニット８および室内熱交換器６に流入する前の室内空気の一部を換気ファンユニット１０の運転により室外に排出する空気清浄・換気運転を実行する制御手段。
【００２１】
（４）換気ファンユニット１０が正常であるか否かを監視する監視手段。
【００２２】
（５）上記監視手段が換気ファンユニット１０の異常（回転数異常等）を検出したとき、操作表示パネル１４の換気オフ釦１６が押圧操作されたとき、リモコン３３の換気オフ釦３６が押圧操作されたとき、それぞれ、換気ファンユニット１０の運転を行なわせない換気オフモードを設定する設定手段。
【００２３】
（６）換気オフモードの設定時、上記の換気運転および空気清浄・換気運転を行なわずにその代替運転として空気清浄運転を実行する制御手段。
【００２４】
（７）空気清浄ユニット８をオゾン発生器として運転させて空気清浄ユニット８から少量のオゾンを発生させながら、室内ファン７の超低速運転およびルーバ５上部のわずかな開放による吹出口から吸込口側へ直接空気を導くショートサーキット流の送風循環運転を行なうオゾン発生・充満による室内ユニット清浄運転を実行する制御手段。
【００２５】
（８）空気清浄ユニット８をオゾン発生器として運転させながら換気ファンユニット１０を運転させるオゾン発生・換気による室内ユニット清浄運転を実行する制御手段。
【００２６】
（９）換気オフモードの設定時、上記オゾン発生・換気による室内ユニット清浄運転を行なわず、その代替運転として上記オゾン発生・充満による室内ユニット清浄運転を実行する制御手段。
【００２７】
（１０）上記換気運転を行わない旨および上記代替運転の実行の旨を操作表示パネル１４の液晶表示部１５およびリモコン３３の液晶表示部３４により報知する報知手段。
【００２８】
（１１）換気ファンユニット１０の非運転時にその換気ファンユニット１０内の各排気流路をダンパ１３で閉塞させる制御手段。
【００２９】
つぎに、図３のフローチャートを参照しながら作用を説明する。
リモコン３３で空気清浄運転モードが設定されると、空気清浄ユニット８および室内ファン７が運転し、図４に破線矢印で示すように、室内空気が空気清浄ユニット８および室内熱交換器６を通して循環する。この循環に伴い、室内空気中の塵や埃が空気清浄ユニット８で除去される。
【００３０】
この場合、換気ファンユニット１０内の各排気流路がダンパ１３で閉塞されており、室内空間と室外空間との間の不要な空気の流通が阻止される。この阻止により、空調負荷の不要な増大を回避することができ、省エネルギ効果の向上が図れる。風切り音の防止にもなる。
【００３１】
リモコン３３で換気運転モードが設定されると、換気ファンユニット１０が運転し、その吸入圧により吸込口２，３を通して室内ユニット１内に室内空気が吸込まれる。このとき、換気ファン１０のダンパ１３が吸込口１２を開放しており、図１に実線矢印で示すように、室内ユニット１内に吸込まれた室内空気が空気清浄ユニット８および室内熱交換器６に流入することなく換気ファンユニット１０の吸込口１２に取込まれる。吸込口１２に取込まれた室内空気は換気ダクト５０を通して室外に排出される。この換気運転により、室内の臭いやたばこ煙などを室外に排出することが可能であり、室内を快適環境に維持することができる。
【００３２】
リモコン３３で空気清浄・換気運転モードが設定されると、空気清浄ユニット８および室内ファン７が運転して上記の空気清浄運転が実行されるとともに、換気ファンユニット１０が運転して上記の換気運転が実行される。すなわち、室内空気が空気清浄ユニット８および室内熱交換器６を通して循環するとともに、空気清浄ユニット８および室内熱交換器６に流入する前の室内空気の一部が換気ファンユニット１０から室外に排出される。
【００３３】
ところで、住居の構造上の問題などにより、一部で換気ダクト５０の敷設が困難な場合がある。この場合においても、換気機能を備えない同仕様の製品を特別に製造することは量産性が伴わないため、換気機能を備えた汎用機種にて対応することになる。空気調和機の据付け作業員あるいはユーザは、室内ユニット１の操作表示パネル１４における換気オフ釦１６あるいはリモコン３３における換気オフ釦３６を押圧操作する。この押圧操作により（ステップ１０１のＹＥＳ）、換気ファンユニット１０の運転を行なわせない換気オフモードが設定される（ステップ１０３）。
【００３４】
換気オフモードが設定されると、リモコン３３で換気運転モードや空気清浄・換気運転モードが設定されても、換気ファンユニット１０の運転が必要な換気運転や空気清浄・換気運転が実行されることはない。この実行の禁止により、排気流路が無いまま換気ファンユニット１０が運転する不具合を解消することができ、ひいては換気ファンユニット１０のファンモータの過熱を防ぐことができ、無駄な電力消費も防ぐことができる。
【００３５】
そして、換気運転や空気清浄・換気運転が行なわれない代替運転として、換気ファンユニット１０の運転が不要な空気清浄運転が実行される。この代替運転により、ユーザにある程度の満足感を与えることができる。
【００３６】
換気運転や空気清浄・換気運転が行なわれないこと、および代替運転が実行されていることについては、操作表示パネル１４の液晶表示部１５およびリモコン３３の液晶表示部３４で文字表示あるいは画像表示される（ステップ１０４）。ユーザは、この換気オフモード表示を見ることにより、空気調和機がどのような状態にあるかを容易かつ迅速に察知することができる。故障と勘違いすることがなく、空気調和機に不信感を抱くこともない。
【００３７】
換気ファンユニット１０の利用が可能な場合でも、換気ファンユニット１０に異常が無い場合には（ステップ１０２のＮＯ）、上記した空気清浄運転、換気運転、空気清浄・換気運転などを含む通常運転が実行される（ステップ１０５）。
【００３８】
なお、通常運転として、以下のようなオゾン発生・充満による室内ユニット清浄運転やオゾン発生・換気による室内ユニット清浄運転がある。
リモコン３３でオゾン発生・充満による室内ユニット清浄運転モードが設定されると、空気清浄ユニット８がオゾン発生器として運転し、空気清浄ユニット８から発生する少量のオゾンが室内ユニット１内に充満するとともに、室内ファン７の運転およびルーバ５上部のわずかな開放による吹出口から吸込口側へ直接空気を導くショートサーキット流の送風循環運転が行われる。この空気流を図６に破線矢印で示している。
【００３９】
この発生オゾンの充満およびショートサーキット流の送風循環運転により、室内ユニット１内に付着した物質の分解、室内ユニット１内の脱臭、室内ユニット１内に付着した微生物の殺傷を行なうことができる。
【００４０】
この場合、換気ファンユニット１０内の各排気流路がダンパ１３で閉塞されており、室内空間と室外空間との間の不要な空気の流通が阻止される。この阻止により、空調負荷の不要な増大を回避することができ、省エネルギ効果の向上が図れる。風切り音の防止にもなる。
【００４１】
リモコン３３でオゾン発生・換気による室内ユニット清浄運転モードが設定されると、空気清浄ユニット８がオゾン発生器として運転し、空気清浄ユニット８から発生する少量のオゾンが室内ユニットに充満するとともに、換気ファンユニット１０が運転する。この換気ファンユニット１０の吸入圧により、空気清浄ユニット８から発生したオゾンが室内空気と共に室内熱交換器６を通る。このとき、換気ファン１０のダンパ１３が吸込口１１を開放しており、図５に破線矢印で示すように、室内熱交換器６を通ったオゾンおよび室内空気が換気ファンユニット１０の吸込口１１に取込まれる。吸込口１１に取込まれたオゾンおよび室内空気は換気ダクト５０を通して室外に排出される。
【００４２】
このオゾン発生・換気による室内ユニット清浄運転により、室内ユニット１内の物質分解、脱臭、微生物殺傷を行った後の空気が、室内に吹出されることなく室外に排出される。これにより、室内を快適環境に維持することができる。
【００４３】
換気オフモードが設定された場合には（ステップ１０３）、換気ファンユニット１０の運転が必要なオゾン発生・換気による室内ユニット清浄運転モードが設定されても、オゾン発生・換気による室内ユニット清浄運転が実行されることはない。この実行の禁止により、排気流路が無いまま換気ファンユニット１０が運転する不具合を解消することができ、ひいては換気ファンユニット１０のファンモータの過熱を防ぐことができ、無駄な電力消費も防ぐことができる。
【００４４】
そして、オゾン発生・換気による室内ユニット清浄運転の代替運転として、換気ファンユニット１０の運転が不要なショートサーキット流の送風循環運転によるオゾン発生・充満による室内ユニット清浄運転が実行される。この代替運転により、ユーザにある程度の満足感を与えることができる。
【００４５】
オゾン発生・換気による室内ユニット清浄運転が実行されずに代替運転が実行されていることについては、操作表示パネル１４の液晶表示部１５およびリモコン３３の液晶表示部３４で文字表示あるいは画像表示される（ステップ１０４）。ユーザは、この換気オフモード表示を見ることにより、空気調和機がどのような状態にあるかを容易かつ迅速に察知することができる。故障と勘違いすることがなく、空気調和機に不信感を抱くこともない。
【００４６】
なお、上記実施形態では、換気オフモードを設定するための換気オフ釦を操作表示パネル１４およびリモコン３３の両方に設けたが、いずれか一方に設けるようにしてもよい。また、換気オフモード表示を操作表示パネル１４およびリモコン３３の両方で行ったが、いずれか一方で行なうようにしてもよい。
その他、この発明は上記各実施形態に限定されるものではなく、要旨を変えない範囲で種々変形実施可能である。
【００４７】
【発明の効果】
以上述べたようにこの発明によれば、換気ファンの利用が不可能な状況での種々の不都合を解消することができる信頼性にすぐれた空気調和機を提供できる。
【図面の簡単な説明】
【図１】一実施形態における室内ユニットの内部構成および空気清浄・換気運転時の空気流を示す図。
【図２】一実施形態における冷凍サイクルおよび制御回路の構成を示す図。
【図３】一実施形態の作用を説明するためのフローチャート。
【図４】一実施形態における空気清浄運転時の空気流を示す図。
【図５】一実施形態におけるオゾン発生・換気による室内ユニット清浄運転時の空気流を示す図。
【図６】一実施形態におけるオゾン発生・充満による室内ユニット清浄運転時の空気流を示す図。
【符号の説明】
１…室内ユニット、２…吸込口、３…吸込口、４…吹出口、５…ルーバ（開閉手段）、６…室内熱交換器、７…室内ファン、８…空気清浄ユニット、９…室内温度センサ、１０…換気ファン、１４…操作表示パネル、１５…液晶表示部、１６…換気オフ釦、２１…圧縮機、２２…四方弁、２３…室外熱交換器、２４…電子膨張弁（減圧器）、３０…制御部、３１…インバータ、３３…リモコン、３４…液晶表示部、３６…換気オフ釦
【図１】
2004053172.tif 000003
【図２】
2004053172.tif 000004
【図３】
2004053172.tif 000005
【図４】
2004053172.tif 000006
【図５】
2004053172.tif 000007
【図６】
2004053172.tif 000008